(57)【特許請求の範囲】
【請求項１】
太陽電池、蓄電手段及び昼夜判別手段を有し、昼間は、前記太陽電池で前記蓄電手段を充電し、夜間は、前記蓄電手段から供給される電流によって発光部を駆動する自発光式の視線誘導標識において、
標準電波を受信し、かつ前記標準電波に掛けられている変調信号を復調する機能を有する標準電波受信手段、
前記標準電波受信手段から出力される信号から所定周波数の信号を検出する周波数検出手段、
所定周期の計数信号を出力するタイマー、
前記周波数検出手段の出力を読み取りに行き、前記所定周波数の信号を検出したことを示す信号を読み込んだ際には、経過時間の計測を開始するための基準時刻を前記所定周波数の信号を検出したことを示す信号に基づいて設定するとともに、前記基準時刻からの所定単位時間毎の時間の経過を前記計数信号により計測していき、前記昼夜判別手段から夜間を示す信号が入力したことを確認した後、前記基準時刻からの所定単位時間毎の時間の経過に基づいて、前記発光部を点滅させる制御手段、
を具備して成る標準電波によって点滅のタイミングを取る視線誘導標識。
【請求項２】
太陽電池、蓄電手段及び昼夜判別手段を有し、昼間は、前記太陽電池で前記蓄電手段を充電し、夜間は、前記蓄電手段から供給される電流によって発光部を駆動する自発光式の視線誘導標識において、
標準電波を受信し、かつ前記標準電波に掛けられている変調信号を復調する機能を有する標準電波受信手段、
前記標準電波受信手段から出力される信号から所定周波数の信号を検出する周波数検出手段、
所定周期の計数信号を出力するタイマー、
前記昼夜判別手段から昼間を示す信号が出力されているときは、前記周波数検出手段の出力を所定時間間隔毎に読み取りに行き、前記所定周波数の信号を検出したことを示す信号を読み込んだ際には、経過時間の計測を開始するための基準時刻を前記所定周波数の信号を検出したことを示す信号に基づいてその都度設定更新するとともに、昼間において最後に設定更新された前記基準時刻からの１秒間毎の時間の経過を前記計数信号により計測していき、前記昼夜判別手段から夜間を示す信号が入力したことを確認した後、前記基準時刻からの１秒間毎の時間の経過に基づいて、前記発光部を点滅させる制御手段、
を具備して成る標準電波によって点滅のタイミングを取る視線誘導標識。
【請求項３】
前記蓄電手段は、直列接続された電気二重層コンデンサを並列接続したものであることを特徴とする請求項１または請求項２の標準電波によって点滅のタイミングを取る視線誘導標識。
【発明の詳細な説明】
【０００１】
【産業上の利用分野】
本発明は、電源を具備した自発光式視線誘導標識に係わり、標準電波によって点滅のタイミングを取る視線誘導標識に関する。
なお、本明細書及び図面で問題とする視線誘導標識は、自発光式の視線誘導標識であり、特に自発光式とことわらなくても、視線誘導標識と言えば、それは、自発光式視線誘導標識のことを意味するものとする。
また、本明細書で使用する点滅という言葉は、点灯／消灯動作一般を含めた意味で用いる。すなわち、点滅するというのは、発光部が所定時間点灯した後、所定時間消灯するという繰り返しの動作のことであり、点灯状態及び消灯状態の時間の長短は、問わないものとする。
【０００２】
【従来の技術】
道路、特に山道とか海岸沿いの道とかの一方の側が崖になっているような道路に所定間隔を空けて一連の視線誘導標識が配列されることがある。例えば、降雪地帯の道路において、夜間の降雪時または積雪時にサイドライン及びガードレールが雪で埋もれて見えなくなったりすることがある。このような場合、路肩からの転落などの危険が増大するので、サイドラインをドライバーに知らせる、つまり、ドライバーの視線を誘導するための矢羽状の発光体（発光部）が道路サイドライン上方に配置するなどされている。
【０００３】
この視線誘導標識は、太陽電池及び蓄電池などの電源を具備しており、発光部には、通常、ＬＥＤを多数配列したＬＥＤモジュールが使用されている。
このＬＥＤモジュールは、視線誘導標識に設けられている制御装置の制御の基、昼間は消灯されており、夜間は、前記蓄電池の容量に余裕がある限りは、点滅されている。
【０００４】
道路に沿って配列されている一連の視線誘導標識が、それぞれ勝手に点滅したのでは、ドライバーを惑わすことになりかねないので、一連の視線誘導標識は、一斉に点灯させ、一斉に消灯させることが望ましい。つまり、各視線誘導標識は、点滅のタイミングを取って（合わせて）動作させることが望まれている。
【０００５】
従来の点滅のタイミングを取る視線誘導標識は、各視線誘導標識に通信装置（送信装置及び受信装置）が備えられており、隣の視線誘導標識から発せられる電波、光、赤外線または音波などの信号（タイミング信号）を受信し、該タイミング信号を受信した視線誘導標識は、もう一方の隣の視線誘導標識へ電磁波などのタイミング信号を発信している。このようにして、順次、隣の視線誘導標識へタイミング信号を受け渡していくことにより、各視線誘導標識は、ほぼ同時に点滅することができる。
【０００６】
視線誘導標識は、昼間に太陽電池で蓄電池を充電し、夜間に該蓄電池に蓄えられた電荷を放電させることによって、通信装置、制御装置及び発光部を駆動しているので、消費電力は、少ないほどよい。
従来の視線誘導標識は、この消費電力という点で問題があった。
【０００７】
従来のタイミングを取って点滅する視線誘導標識は、配列されている一連の視線誘導標識のうち、タイミング信号送信の基地局となる視線誘導標識と末端の視線誘導標識とを除いては、タイミング信号の発信及び受信という動作が必ず必要であり、該タイミング信号の送信装置と受信装置とが必要であったからである。
【０００８】
従来の視線誘導標識について、例えば、道路の１９００ｍの区間に、１番目から２０番目まで番号を振られた２０本の視線誘導標識が１００ｍ毎に配列され、１番目から２０番目の視線誘導標識へタイミング信号を受け渡していくものとして、少し詳しく説明する。
１番目の視線誘導標識は、タイミング信号を送信する必要はあるが、タイミング信号を受信する必要はないので、受信装置を設けなくてもよい（設けておいてもよい）。２０番目の視線誘導標識には、受信装置は設けておく必要があるが、送信装置は、あってもなくてもよい。２番目から１９番目までの視線誘導標識には、送信装置と受信装置の両方が必要である。
なお、タイミング信号送信の基地局となる視線誘導標識を配列の両端のどちらかにする必要は、必ずしもないが、今は、配列の一方の端である１番目の視線誘導標識をタイミング信号送信の基地局とするものとして説明を続ける。
【０００９】
このように、従来の視線誘導標識は、３種類の視線誘導標識を用意する必要があり、設置の際に、配列の仕方を考慮する必要があって、ときに３種の配列を間違う可能性もあった。
もちろん、上記の例で言えば、１番目から２０番目まで、送信装置及び受信装置を備えた同じ構成の視線誘導標識を用いれば、配列の際、混乱する恐れは、全くない。この場合には、１番目の視線誘導標識の受信装置、２０番目の視線誘導標識の送信装置は、使用されないのに、わずかではあるが電力だけは食うという無駄が生じるという問題点があった。
【００１０】
このように、従来のタインミング信号を順次受け渡していくことによって点滅のタイミングを取る視線誘導標識は、原則として送信装置と受信装置とを駆動するための電気容量を考慮した電源の設計が必要であった。
【００１１】
なお、従来の視線誘導標識において、送信の基地局となる視線誘導標識を１台設け、その他の視線誘導標識は、受信装置のみを設けておくことも考えられる。
しかし、この方式では、基地局となる視線誘導標識からより離れた位置に設置される視線誘導標識ほど、受信装置の感度を上げなければならないし、基地局となる視線誘導標識の送信装置の出力もかなり大きくしなければならない。視線誘導標識の蓄電池の電気容量には、限度があり、電気容量にそれほど余裕があるわけではないので、この方式は、現実的ではなかった。
【００１２】
また、従来のタイミング信号を順次受け渡していく視線誘導標識は、何らかの事情により、一台の視線誘導標識がタイミング信号を受信または送信できなくなる事態が発生すると、その視線誘導標識以後に配列されている視線誘導標識は、他の視線誘導標識と同時に点滅することができなくなるという問題点があった。
もちろん、ある視線誘導標識を発したタイミング信号が隣の隣の視線誘導標識まで着信するようにすることも可能であり、そうすれば、一連の視線誘導標識がタイミングを合わせて点滅することができななくなるという恐れは、大いに減少するが、送信装置の出力を上げなけらばならず、消費電力が増加するので、この解決法も問題があった。
【００１３】
【発明が解決しようとする課題】
本発明は、従来の点滅のタイミングを取る視線誘導標識の問題点を解決するためになされたもので、その目的とするところは、消費電力が少なくて済み、配列設置されている一連の視線誘導標識が確実にタイミングを合わせて点滅することができる構成が簡易な、つまり低コストの標準電波によって点滅のタイミングを取る視線誘導標識を提供することにある。
【００１４】
【課題を解決するための手段】
本発明は、上記した課題を解決したもので、次のようなものである。
請求項１の標準電波によって点滅のタイミングを取る視線誘導標識は、太陽電池、蓄電手段及び昼夜判別手段を有し、昼間は、前記太陽電池で前記蓄電手段を充電し、夜間は、前記蓄電手段から供給される電流によって発光部を駆動する自発光式の視線誘導標識において、標準電波を受信し、かつ前記標準電波に掛けられている変調信号を復調する機能を有する標準電波受信手段、前記標準電波受信手段から出力される信号から所定周波数の信号を検出する周波数検出手段、所定周期の計数信号を出力するタイマー及び制御手段を具備して成るものである。
【００１５】
この制御手段は、視線誘導標識の各部を制御及び駆動する制御中枢であり、前記周波数検出手段の出力を読み取りに行き、前記所定周波数の信号を検出したことを示す信号を読み込んだ際には、経過時間の計測を開始するための基準時刻を前記所定周波数の信号を検出したことを示す信号に基づいて設定する。
また、前記制御手段は、前記基準時刻からの所定単位時間毎の時間の経過を前記計数信号により計測していき、前記昼夜判別手段から夜間を示す信号が入力したことを確認した後、前記基準時刻からの所定単位時間毎の時間の経過に基づいて、前記発光部を点滅させるように構成されている。
【００１６】
請求項２の標準電波によって点滅のタイミングを取る視線誘導標識は、太陽電池、蓄電手段及び昼夜判別手段を有し、昼間は、前記太陽電池で前記蓄電手段を充電し、夜間は、前記蓄電手段から供給される電流によって発光部を駆動する自発光式の視線誘導標識において、標準電波を受信し、かつ前記標準電波に掛けられている変調信号を復調する機能を有する標準電波受信手段、前記標準電波受信手段から出力される信号から所定周波数の信号を検出する周波数検出手段、所定周期の計数信号を出力するタイマー及び制御手段を具備して成るものである。
【００１７】
この制御手段は、視線誘導標識の各部を制御及び駆動する制御中枢であり、前記昼夜判別手段から昼間を示す信号が出力されているときは、前記周波数検出手段の出力を所定時間間隔毎に読み取りに行き、前記所定周波数の信号を検出したことを示す信号を読み込んだ際には、経過時間の計測を開始するための基準時刻を前記所定周波数の信号を検出したことを示す信号に基づいてその都度設定更新する。
また、前記制御手段は、昼間において最後に設定更新された前記基準時刻からの１秒間毎の時間の経過を前記計数信号により計測していき、前記昼夜判別手段から夜間を示す信号が入力したことを確認した後、前記基準時刻からの１秒間毎の時間の経過に基づいて、前記発光部を点滅させるように構成されている。
【００１８】
請求項３は、請求項１または請求項２の標準電波によって点滅のタイミングを取る視線誘導標識において、前記蓄電手段は、直列接続された電気二重層コンデンサを並列接続したものであることを特徴としている。
【００１９】
【作用】
標準電波（ＪＪＹ）は、日本標準時（ＪＳＴ）を広く国の内外に知らせるために郵政省通信総合研究所で運用している電波であり、送信所は、茨城県猿島群三和町にある。標準電波の搬送波の周波数は、５、８及び１０ＭＨｚである。本作用の項の記述は、５ＭＨｚの標準電波で説明を行うものとするが、本発明では、これらのどの周波数の搬送波の電波を利用しても差し支えない。
【００２０】
標準電波は、分信号及び秒信号の他、種々の変調信号が送信プログラムに従い、送信されている。当然、搬送波（５ＭＨｚ）は、停波時間帯を除いては、常に送信されている。本発明において、これらのどの変調信号を利用して、経過時間の計測を開始するための基準時刻を設定するかは、当業者の設計上の選択事項である。
【００２１】
標準電波の１時間中の変調電波の送信プログラムは、次のようである。
００分から０５分未満までは、分秒信号と１ｋＨｚ変調による電波、０５分から９分未満までは、分秒信号のみによる変調電波、９分から１０分末満までは、分秒信号と認識信号による変調電波が送信される。このサイクルが１０分毎に繰り返される。
但し、３５分から４０分未満までは、上記プログラムによるなら、分秒信号のみによる変調電波送信の時間帯であるが、搬送波を含めて電波は、送信されない。つまり停波時間帯である。
【００２２】
この停波時間帯を除いては、全ての時間帯において、６００Ｈｚの分子告信号（正分の９５５ミリ秒前から３９３サイクル分）と１６００Ｈｚの秒信号（正秒から８サイクル分）による変調信号が送信される。
従って、本発明における経過時間の計測を開始するための基準時刻を設定するために利用できる変調信号としては、１分間に１回の６００Ｈｚ変調信号（分予告信号）、１秒間に１回の１６００Ｈｚ変調信号（秒信号）、００分から０５分未満の時間帯における１秒間に１回の１ｋＨｚ変調信号などがある。この１ｋＨｚ変調信号は、正秒の４５ミリ秒後に９１５ミリ秒間送信されるものである。
【００２３】
標準電波における１秒毎の正秒は、該正秒の４０ミリ秒前から無変調の５ＭＨｚの電波が送信され、該正秒から５ミリ秒間、１６００Ｈｚの変調信号により変調を掛けた５ＭＨｚ電波が送信されることによって知らせている。すなわち、正秒から１６００Ｈｚ変調による秒信号が８サイクル送信されるということである。
【００２４】
なお、正秒から１６００Ｈｚ変調による秒信号が８サイクル送信された後は、４０ミリ秒間、無変調の電波（５ＭＨｚ）が送信され、それ以後、次の正秒の４０ミリ秒前までは、１ｋＨｚ変調または無変調の電波が送信されている。
但し、１時間中の９分台、１９分台、２９分台、３９分台、４９分台及び５９分台の認識信号による変調電波送信時間帯は、正秒から４５ミリ秒後から次の正秒の４０ミリ秒前までの間、１ｋＨｚ変調及び無変調による電波は、送信されない。
【００２５】
標準電波における１分毎の正分は、正分の９５５ミリ秒前から６００Ｈｚ変調による分予告信号が６５５ミリ秒間送信されることによって知らせている。なお、正分というのは、００秒から５９秒までの１分間６０回の正秒のうち、００秒の正秒と同じであるから、正分そのものは、００秒の正秒を示す５ミリ秒間の１６００Ｈｚの変調信号で知らされる。
【００２６】
本発明は、このような送信プログラムを持つ標準電波を受信するとともに、標準電波に掛けられている変調信号を復調し、該復調出力に含まれる時刻の情報に基づいて、タイマーの計数信号の計数開始時刻を設定するものである。すなわち該計数開始時刻を決定し記憶しておくことによって、一連の視線誘導標識が結果として点滅のタイミングを合わせることになるようにしようとするものである。
なお、本発明では、タイマーの計数信号の計数開始時刻は、制御手段が標準電波の変調信号を利用して設定するわけであるが、絶対時刻（日本標準時そのもの）を知る必要は、必ずしもない。つまり、正秒もしくは正分の時刻そのものを制御手段が認識する必要は、必ずしもない。
【００２７】
もちろん、標準電波を受信し復調し所定の処理を施せば、正秒もしくは正分を知ることは可能なので、絶対時刻を算出し、その絶対時刻を基に制御手段が発光部の点滅のタイミングを取るようにしてもよい。いずれにしても、標準電波の変調信号を基に時間経過の計測の基準時刻（始点）を定めることに変わりはなく、制御手段が絶対時刻を認識できるように構成しておくかどうかは、当業者の設計上の選択事項である。
【００２８】
本発明に係わる標準電波によって点滅のタイミングを取る視線誘導標識は、昼間、すなわち昼夜判別手段が昼間を示す信号を出力しているときは、従来の視線誘導標識と同様、太陽電池は、蓄電手段を充電する。昼間は、発光部（例えば複数個のＬＥＤ）は、点灯されない。
標準電波受信手段は、標準電波を受信し、該受信した電波を復調し、周波数検出手段へ出力する。
【００２９】
周波数検出手段は、所定周波数、例えば１ｋＨｚ、６００Ｈｚもしくは１６００Ｈｚなどの周波数の周期信号が入力してくると、そのことを示す信号を出力する装置である。
周波数検出を示す信号を出力するというのは、例えば、周波数検出手段の出力が通常は、Ｈレベルになっており、１６００Ｈｚの信号が５ミリ秒入力してきたとすると、周波数検出手段の出力が５ミリ秒だけＬレベルになるというようなことである。
【００３０】
制御手段は、当業者の設計するプログラム（手順）に従い、周波数検出手段の出力を読み取りに行き、その際、所定周波数の信号、すなわち標準電波に含まれている変調信号が入力してきたことを示す出力信号を読み取れば、その読み取った信号に基づいて、例えば読み取った出力信号の立ち上がりまたは立ち下がりに同期して、計数信号の計数開始の基準となる時刻をセットすることができる。すなわちタイマーのからの計数信号のカウントを開始する。
【００３１】
周波数検出手段が検出する信号が、例えば６００Ｈｚの周期信号だとすると、６００Ｈｚの周期信号が入力してきたことを周波数検出手段が出力すれば、制御手段は、読み取った周波数検出手段の出力信号が標準電波の６００Ｈｚの分子告信号であると推定できる。１分間隔で６００Ｈｚ周期信号を検出したことを示す信号を周波数検出手段が出力するなら、制御手段は、正分そのものもしくは正分から所定時間ずれた所定時刻の同定ができることになる。
【００３２】
タイマーからの計数信号により時間の経過の計測を開始する基準時刻の設定をどの時刻にするかは、当業者の設計上の選択事項であり、種々考えられる。
例えば、６００Ｈｚの周期信号（すなわち、分予告信号である）を２５５ミリ秒間検出した時点で、タイマーからの計数信号を制御手段がカウントし始めるとすると、基準時刻は、５９秒の正秒と００秒の正秒の中間の時刻、つまり５９．５秒を計数開始の基準時刻とすることになる。
【００３３】
計数信号の計数開始の基準時刻が設定されると、制御手段は、タイマーからの計数信号を読み込んで時間の経過を計測する。このとき、時間の計測は、所定時間を単位として行われる。例えば、１分間とか１秒間とか２秒間毎の単位時間の経過を認識しながら、制御手段は、基準時刻からの時間の経過を監視していく。
【００３４】
昼夜判別手段が夜間を示す信号を出力するようになった後、制御手段は、前記時間の経過を計測するため基準時刻を始点として、所定単位時間が経過する毎に、発光部を点滅させる。
つまり、前記基準時刻から経過した時間が前記所定単位時間を積算した時間である時刻に、発光部を所定時間点灯させた後、消灯させ、次の所定単位時間が経過したら、発光部を所定時間点灯させ、所定時間消灯させる。制御手段は、この操作を夜の間繰り返す。
例えば、所定単位時間が２秒間であるなら、発光部は、２秒毎に１回点滅することになる。
【００３５】
請求項２に記載したように、計数信号の計数における所定単位時間を１秒間に設定すれば、１分間６０回の正秒のうち、どの正秒に基づいてタイマー出力の計数を開始したとしても、１秒間隔毎に他の視線誘導標識と同期して、つまりタイミングを合わせて発光部を点滅させることができる。
【００３６】
また、昼間、制御手段が標準電波受信手段の出力を所定間隔時間（例えば３０分間隔毎）に所定時間（例えば３秒間）読み取りに行けば、何らかの事情で、標準電波を受信できなかったり、ノイズの電波を受信したりしても、次に制御手段が標準電波受信手段の出力を読み取りにいく際に、タイマーから出力される計数信号の計数開始時刻を標準電波に含まれる変調信号の受信及び検出に基づいて、更新することができる。
よって、本発明に係わる標準電波によって点滅のタイミングを取る視線誘導標識が配列された場合、各視線誘導標識がタイミングを合わせて点滅する確実さを増すことができる。
【００３７】
請求項３に記載したように、蓄電手段として、コンデンサ（キャパシタ）を用いることができる。コンデンサは、二次電池と比べて液漏れ等の恐れが少なく、取扱いが楽で、寿命が長いという利点があり、視線誘導標識の蓄電手段としては向いている。
本発明では、コンデンサの容量と放電電圧を必要なだけ確保するために、直列接続した電気二重層コンデンサを必要な数だけ、並列に接続して用いている。
【００３８】
【実施例】
図１は、本発明に係わる標準電波によって点滅のタイミングを取る視線誘導標識の構成を示すブロック図である。
標準電波送信基地局１３は、前述したように、茨城県猿島群三和町にあり、送信される電波（搬送波）は、５、８及び１０ＭＨｚである。本発明では、搬送波としてどの周波数の電波を利用してもよいが、ここでは、５ＭＨｚの電波を利用するものとして説明を行う。
【００３９】
太陽電池１は、昼夜判別手段６が行う昼夜の判別に基づき、昼間に蓄電手段２を充電する。蓄電手段２は、夜間は言うまでもなく、昼間も制御手段３を初めとする各部が必要とする電力を供給する。
昼夜判別手段６には、ＣｄＳセル等の光センサを用いることができる。また、従来の視線誘導標識でも提唱されている如く、太陽電池の起電力を監視することによって、昼夜判別の機能を太陽電池１に兼ねさせてもよい。
制御手段３は、昼夜判別手段６からの出力が夜間を示す信号となってから、発光部５を駆動制御する（点滅させる）。当然、昼夜判別手段６の出力が昼間を示しているときは、発光部５が点滅されることはない。
【００４０】
蓄電手段２は、その容量及びサイズを、当業者の所望により設計選択する。一般的には、鉛蓄電池などの充電及び放電可能な電池（二次電池）を用いることが推奨されるが、後述するようにキャパシタ（コンデンサ）を用いてもよい。
【００４１】
（標準電波）受信手段４は、所定周波数域の電波（今の場合は、５ＭＨｚの電波）を受信できるとともに復調できる機能を有するものなら、どんなものでもよい。例えば、ＨＦラジオ受信機（短波を受信できるＡＭラジオ）でもよい。
なお、本発明においては、受信手段と言えば標準電波受信手段であることは明らかなので、以後、標準電波受信手段のことを単に受信手段４とも称することにする。
【００４２】
周波数検出手段８と言うのは、いわゆるトーン検出を行う回路であり、所定周波数の周期信号を検出する装置である。周波数検出手段８、すなわちトーン検出回路は、例えば、ＦＳＫ復調器ＩＣ及び若干の外付け部品（抵抗器、コンデンサなど）を使用して構成することができる。
周波数検出手段８の機能については、後に詳述する。
【００４３】
制御手段３は、受信手段４及びタイマー７からの信号を当業者の設計プログラムに基づき、読み込みに行くとともに、発光部５を駆動制御する。つまり、発光部５を夜間に点滅させる。
制御手段３は、受信手段４からの復調出力を周波数検出手段８を介して適宜読み込み、時刻の同定を行う。時刻の同定と言うのは、タイマー７の計数信号の起算時刻、つまり計数開始の基準となる時刻を定めるということである。
制御手段３としては、例えばマイクロコンピュータシステムを使用することができる。
【００４４】
図２は、制御手段の一実施例を示すブロック図である。ＣＰＵ９、メモリ（ＲＯＭ１０、ＲＡＭ１１）及びクロック７ｂ、Ｉ／Ｏ１２などの周辺装置からなる従来から知られている通常のマイクロコンピュータシステムである。
なお、本発明に係わる標準電波によって点滅のタイミングを取る視線誘導標識の構成要素である制御手段３としてのマイクロコンピュータシステムには、いわゆるワンチップマイコンを用いてもよいことはもちろんである。
【００４５】
発光部５に何を用いるかは、当業者の設計上の選択事項であるが、複数個の発光ダイオードを所定形状に配列したＬＥＤモジュールを用いることが、駆動しやすさ、輝度、及び消費電力などの点から推奨される。
【００４６】
タイマー７は、所定周波数のパルス信号を出力する装置であり、制御手段３は、該パルス信号と同期して時刻の同定をすること及び該パルス信号のカウントにより所定単位時間毎の時間の経過を計測することができる。
なお、タイマー７は、制御手段３内に設けてもよい。図２に示すように、制御手段にＣＰＵ９を備えたマイクロコンピュータシステムを用いるときは、タイマー７は、ＣＰＵ９の動作周波数の信号を供給するクロック７ｂに兼ねさせてもよいし、むしろ、その方がシステムを簡素化できるので好ましい。
【００４７】
図３は、標準電波（ＪＪＹ）の秒の表示方法を示す模式図であり、図４は、標準電波の分の表示方法を示す模式図である。
受信手段４は、図３及び図４で示すような変調信号を含んだ電波を受信し、復調して出力する。従って、受信手段４の出力には、５ＭＨｚの搬送波は、出てこず、標準電波の送信プログラムに応じた変調信号（変調波）のみが出力されてくる。
【００４８】
標準電波に含まれる各種の変調信号、すなわち１分毎の６００Ｈｚの分予告信号、１秒毎の１６００Ｈｚ秒信号または１秒毎の１ｋＨｚ変調信号を受信すれば、それらの変調信号は、時刻情報を含んでいるので、時間の経過を測定するための基準時刻をセットすることができる。
【００４９】
ここで、図３及び図４を参照しつつ、制御手段３の動作について説明する。１秒間中の標準電波は、図３で示すように、次のような送信プログラムで送信されているものとする。
０秒〜５９秒までの各正秒の時刻から５ミリ秒間（時刻をｔとして、０ミリ秒≦ｔ＜５ミリ秒）は、１６００Ｈｚ変調による秒信号が送信される。正秒から５ミリ秒後から４０ミリ秒間（５ミリ秒≦ｔ＜４５ミリ秒）は、無変調による信号が送信される。正秒から４５ミリ秒後から９１５ミリ秒間（４５ミリ秒≦ｔ＜９６０ミリ秒）は、１ｋＨｚ変調による信号が送信される。正秒から９６０ミリ秒後から４０ミリ秒間（９６０ミリ秒≦ｔ＜１０００ミリ秒）は、無変調による信号が送信される。
【００５０】
このように、１６００Ｈｚ及び１ｋＨｚの変調信号は、１秒毎に、所定時刻に所定時間だけ送信されてくるので、これらの変調信号の受信を基に、時刻のセットをすることは容易である。
時刻のセットには、どの変調信号を用いてもよいし、変調信号を何サイクル読み込んだ時点で、時刻のセットを行うかも当業者の設計上の選択事項である。
【００５１】
今、周波数検出手段８が所定周波数の周期信号を非検出の状態であるときは、Ｈレベル信号を出力するように設計されているものとするなら、つまりアクティブローなら、１ｋＨｚもしくは１６００Ｈｚの周期信号が入力してくると、その入力期間中、出力がＬレベルとなるように周波数検出手段８を構成しておくことが可能である。
周波数検出手段８の出力がＨレベルからＬレベルへ切り替わり、所定時間Ｌレベルのままなら、制御手段３は、５ＭＨｚの搬送波に１ｋＨｚもしくは１６００Ｈｚ変調信号が掛けられている電波を受信したものと判断することができる。
さらに、周波数検出手段８の出力が１秒毎に、ＨレベルからＬレベルへ切り替わるなら、該変調信号が掛けられている電波、すなわち標準電波を受信したものと確実に見なすことが可能である。
【００５２】
作用の欄で記述したように、１ｋＨｚの変調信号は、送信されない時間帯がある。もし、１ｋＨｚの変調信号をタイマー７の計数開始時刻の設定に利用したければ、最大でも約５分間待てばよいわけである。つまり、ＣＰＵ９は、周波数検出手段８の出力を約５分間以上続けて読み込み続ければ、１ＫＨｚの変調信号検出を示す信号を受け取ることができる。
【００５３】
本発明に係わる標準電波によってタイミングを取る視線誘導標識は、標準電波の６００Ｈｚの変調信号を利用して点滅のタイミングを取ることもできる。
受信手段４で受信した変調信号を含む５ＭＨｚの標準電波は、復調され、６００Ｈｚの周期信号のトーン検出を行うように設計された周波数検出手段８へ出力される。制御手段３は、当業者が定めるプログラムに従い、周波数検出手段８の出力を読み取りに行く。
【００５４】
制御手段３が周波数検出手段８からの信号を入力させているとき、非検出のＨレベルから検出のＬレベルへ信号が切り替わり、Ｌレベルの信号が６５５ミリ秒間続いたとすれば、６００Ｈｚの分予告信号が受信されたと推定できる。周波数検出手段８の出力が非検出のＨレベルに戻った時刻から５９．３４５秒後に再び周波数検出手段８の出力がＨレベルからＬレベルに切り替わり、Ｌレベルの信号が６５５ミリ秒間続いたら、６００Ｈｚ変調信号受信の判断及び６００Ｈｚ変調信号に基づくタイマー７による時間経過の計数開始時刻をセットできる。
【００５５】
要するに、制御手段３は、周波数検出手段８の６００Ｈｚの分予告信号検出を示す出力を二度読みしているわけである。もちろん、三度以上読みことで、６００Ｈｚ変調信号の検出を判断してもよい。
【００５６】
このように、ある基準時刻からの時間の経過を計測するためのタイマー７の計数信号の計数開始時刻が標準電波を参照して定められ、記録される。
次に制御手段３（図２ではＣＰＵ９）は、タイマー７（クロック７ｂ）からの計数信号をカウントすることによって、時間の経過を計測する。この時間の経過は、経過時間の計測を開始するための基準時刻を起点として、標準電波の変調信号送信の繰り返し周期を考慮して当業者が定める所定単位時間毎に行われる。
【００５７】
昼夜判別手段６が夜間を示す信号を出力し、制御手段３がそのことを認識すると、計数開始時刻を起点とする所定単位時間経過毎に発光部５を点滅させる。
【００５８】
請求項１の発明において、時間の経過の計測における所定単位時間は、６００Ｈｚの変調信号を利用するものとして、例えば、次のようにセットしてもよい。
６００Ｈｚの分予告信号を受信し終わる時刻、つまり各正分の３００ミリ秒前を時間の経過の起点（基準時刻）とするとすれば、時間経過計測のための単位時間を１分間とし、１分間ごとに制御手段３が発光５部を制御駆動することが容易にできる。例えば、６００Ｈｚの変調信号の受信期間の終了時刻（正分の３００ミリ秒前）を起点として、発光部５を０．５秒点灯、２．５秒消灯の動作を１分間に２０回繰り返すというような制御ができる。
すなわち、３秒間に１回の点滅を２０回行わせれば、ここでの時間経過計測のための単位時間である１分間毎に発光部５を制御駆動したことになる。
【００５９】
本発明に係わる標準電波によってタイミングを取る視線誘導標識が複数台配列されているとすると、各々の発光部５は、同時に点灯し同時に消灯、すなわちタイミングを合わせて点滅しているように見える。
【００６０】
請求項２の標準電波によりタイミングを取る視線誘導標識においては、制御手段３は、昼間だけ、受信手段４の信号を入力させる。従って、受信手段４は、昼間だけ動作させるようにしておくことが推奨される。
制御手段３は、所定の時間間隔毎に、所定時間、受信手段４の出力を読み取りに行く。例えば、３０分とか１時間毎に受信手段４の信号を読み取りに行き、そのたびにタイマー７の計数信号カウントの基準時刻を更新する。
従って、ノイズ電波による誤受信によって基準時刻をセットする可能性を低くくすることができる。
【００６１】
タイマー７は、所定周期の計数信号を出力する。制御手段３は、前記基準時刻から計数信号を積算していき、計数信号の積算が１秒間になるごとに、新たに計数信号のカウントを続ける。つまり、１秒間を単位として時間の経過を計測していくわけである。
【００６２】
昼夜判別手段６が夜を示す信号を出力すると、制御手段３は、上述した積算基準時刻（計数開始時刻）からの１秒間単位の計数を引き続き続けるとともに、積算基準時刻からの１秒間単位の時間が経過するごとに、発光部５を点滅させる。例えば、発光部５を１０ミリ秒点灯させ、９９０ミリ秒消灯させる動作を繰り返す。
このように、発光部５が１秒周期で点滅するとするなら、１秒単位の時間経過を計測するに際しての基準時刻さえ所定時刻であれば、一連の視線誘導標識の発光部の点滅のタイミングを合わせることができることになる。
【００６３】
図５は、周波数検出手段の機能を説明するためのタイミングチャートである。受信手段４の復調出力は、６００Ｈｚ、１ｋＨｚまたは１６００Ｈｚの変調信号を含んでいる。これらの変調信号のうち、当業者が選択する周波数の信号を検出するように周波数検出手段８を設計しておく。
受信手段４の復調出力（図５の上の波形）が周波数検出手段８に入力してくると、Ｈレベルであった周波数検出手段８の出力（図５の下の波形）がＬレベルとなる。
【００６４】
受信手段４が１回の変調信号を受信した時間をτとするなら、周波数検出手段８がＬレベルとなっている時間Ｄは、τと等しいかほぼ等しくなるように周波数検出手段８を設計することができる。
経過時間の計測を開始するための基準時刻は、周波数検出手段８の出力の立ち下がり時刻からの所定時間経過時刻にてセットしてもよいし、立ち上がり時刻と同期してセットするようにしてもよい。
【００６５】
図６は、周波数検出手段の出力波形を示す模式図である。周波数検出手段８は、１ｋＨｚの変調信号を検出するものとする（アクティブロー）。
請求項１及び請求項２の発明において、１ｋＨｚの変調信号を利用して経過時間の計測を開始するための基準時刻のセットの一例を図６を参照して説明する。
【００６６】
制御手段３が周波数検出手段８の出力を読み込みに行ったとき（イ）、１ｋＨｚの変調信号が検出されており、周波数検出手段８の出力はＬレベルであった。正秒の４０ミリ秒前には、１ｋＨｚ変調信号は、送信されて来なくなるので、周波数検出手段８の出力は、Ｈレベルとなる。８５ミリ秒後、１ｋＨｚ変調信号受信及び入力により周波数検出手段８の出力は、Ｌレベルとなる（ロ）。時刻ロから９１５ミリ秒後に周波数検出手段８の出力はＨレベルとなり、時刻ロから１０００ミリ秒つまり１秒後に周波数検出手段８の出力はＬレベルとなる（ハ）。このように、１秒間隔（つまりロハ間）で周波数検出手段８の出力がＬレベルとなったことを制御手段３が認識すると、制御手段３が２度目のＬレベル取り込み時刻である時刻ハから所定時間後、例えば７０５ミリ秒後を計数開始の基準時刻Ｂとすることができる。
【００６７】
図７は、蓄電手段の一実施例を示すブロック図である。本発明に係わる標準電波によって点滅のタイミングを取る視線誘導標識は、請求項３に記載したように、蓄電手段２として、直列接続したコンデンサを並列に接続したものを使用してもよい。コンデンサは、電気二重層コンデンサを使用している。
直列接続するコンデンサの数は、放電電圧を、並列接続するコンデンサ群の数は、電気容量を勘案して決めればよい。
【００６８】
【発明の効果】
本発明に係わる標準電波によって点滅のタイミングを取る視線誘導標識は、上述してきたように構成されているので、次に述べるような効果を奏する。
標準電波を受信する受信手段を具備しているが、電波を送信する送信手段は、全く必要ない。よって、構成が簡易であり、低コストで、設計製作ができる。また、視線誘導標識を配列するに際しても順番とか配置とかを全く考慮する必要もないので、設置の際に便利である。
【００６９】
また、本発明に係わる標準電波によって点滅のタイミングを取る視線誘導標識が２台以上配列された場合、請求項１の発明では当業者が定める単位時間毎に、請求項２の発明では１秒間毎に、各々の発光部がタイミングを合わせて点滅するので、ドライバーを惑わすことなく、視線の誘導ができる。
【００７０】
請求項３の発明は、コンデンサを蓄電手段として使用しているので、二次電池を蓄電手段として使用する場合よりも、小型の請求項１または請求項２の視線誘導標識を提供することができる。
【図面の簡単な説明】
【図１】本発明に係わる標準電波によって点滅のタイミングを取る視線誘導標識の構成を示すブロック図
【図２】制御手段の一実施例を示すブロック図
【図３】標準電波（ＪＪＹ）の秒の表示方法を示す模式図
【図４】標準電波（ＪＪＹ）の分の表示方法を示す模式図
【図５】周波数検出手段の機能を説明するためのタイミングチャート
【図６】周波数検出手段の出力波形を示す模式図
【図７】蓄電手段の一実施例を示すブロック図
【符号の説明】
１  太陽電池
２  蓄電手段
３  制御手段
４  （標準電波）受信手段
５  発光部
６  昼夜判別手段
７  タイマー
７ｂ  クロック
８  周波数検出手段
９  ＣＰＵ
１０  ＲＯＭ
１１  ＲＡＭ
１２  Ｉ／Ｏ（入出力インタフェース装置）
１３  標準電波送信基地局
Ｂ  計数開始の基準時刻
Ｄ  周波数検出手段８がＬレベルとなっている時間（検出時間）
イ  制御手段の（周波数検出手段の出力）読み込み開始時刻
ロ  （周波数検出手段の出力の）立ち下がり時刻
ハ  （時刻ロの１秒後の）立ち下がり時刻
τ  受信手段４が１回の変調信号を受信した時間（変調信号受信時間）
【図１】
0003687057.tif 000002
【図２】
0003687057.tif 000003
【図３】
0003687057.tif 000004
【図４】
0003687057.tif 000005
【図５】
0003687057.tif 000006
【図６】
0003687057.tif 000007
【図７】
0003687057.tif 000008